(57)【要約】【課題】本発明は、画像データのページ毎の画像出力設定を、容易に行う。【解決手段】画像形成装置１は、スキャナ部１２で読み取った原稿の画像データに対して、画像毎に、該画像の種別を判別し、画像毎の該画像種別判別結果に基づいて、該画像データの頁毎の画像種別を原稿種別として判別して、操作表示部１７のディスプレイ４２に表示する。画像形成装置１は、ディスプレイ４２の原稿種別判別結果の表示に対して操作表示部１７で画像出力モードが入力操作されると、該画像データに対して該画像出力モードに基づいて画像処理を施し、画像処理後の画像データに基づいて、画像形成部で用紙に画像を形成出力する。【選択図】          図３
2016082514.tif 000002
【特許請求の範囲】
【請求項１】
出力対象の画像データに対して、画像毎に、該画像の種別を判別する画像種別判別手段と、
前記画像毎の該画像種別判別結果に基づいて、前記画像データの頁毎の画像種別を頁種別として判別する頁種別判別手段と、
情報を出力する情報出力手段と、
各種操作が行われる操作手段と、
前記画像データの前記頁種別判別結果を前記情報出力手段に出力させる出力制御手段と、
前記情報出力手段に出力される前記頁種別判別結果に基づいて前記操作手段から操作入力される画像出力モードを取得する出力モード取得手段と、
前記画像データに対して前記画像出力モードに基づいて画像処理を施す画像処理手段と、
前記画像処理後の画像データに基づいて、被記録媒体に画像を記録出力する画像出力手段と、
を備えていることを特徴とする画像形成装置。
【請求項２】
前記画像形成装置は、
原稿の画像を読み取って該原稿の画像データを出力する画像読取手段を、
さらに備え、
前記画像種別判別手段は、
前記画像読取手段の読み取った前記画像データを、前記出力対象の画像データとして、画像毎に、該画像の種別を判別することを特徴とする請求項１記載の画像形成装置。
【請求項３】
前記操作手段は、
前記情報出力手段に出力される前記頁種別判別結果に基づいて、異なる頁種別に対して、一括して前記画像出力モードを設定可能であることを特徴とする請求項１または請求項２記載の画像形成装置。
【請求項４】
前記操作手段は、
前記情報出力手段に出力される前記頁種別判別結果に基づいて、頁を特定して該頁の頁種別を指定し、前記画像出力モードを設定可能であることを特徴とする請求項１または請求項２記載の画像形成装置。
【請求項５】
前記画像形成装置は、
任意の識別情報を前記頁種別のうちの１つの頁種別に割り当てて記憶手段に記憶して管理する識別情報／頁種別管理手段を、
さらに備え、
前記頁種別判別手段は、
前記処理対象の画像データから頁毎に前記識別情報を取得し、該識別情報に対応して前記記憶手段に記憶されている前記頁種別を、該頁の頁種別として判別することを特徴とする請求項２から請求項４のいずれかに記載の画像形成装置。
【請求項６】
前記操作手段は、
前記画像出力モードを入力する対象の頁範囲を指定して、該頁範囲毎に前記画像出力モードを操作入力可能であり、
前記出力モード取得手段は、
前記操作手段から操作入力される前記頁範囲毎に、前記画像出力モードを取得することを特徴とする請求項１から請求項５のいずれかに記載の画像形成装置。
【請求項７】
出力対象の画像データに対して、画像毎に、該画像の種別を判別する画像種別判別処理ステップと、
前記画像毎の該画像種別判別結果に基づいて、前記画像データの頁毎の画像種別を頁種別として判別する頁種別判別処理ステップと、
情報出力手段へ情報を出力する情報出力処理ステップと、
前記画像データの前記頁種別判別結果を情報出力処理ステップで前記情報出力手段に出力させる出力制御処理ステップと、
前記情報出力手段に出力される前記頁種別判別結果に基づいて、操作手段から操作入力される画像出力モードを取得する出力モード取得処理ステップと、
前記画像データに対して前記画像出力モードに基づいて画像処理を施す画像処理ステップと、
前記画像処理後の画像データに基づいて、被記録媒体に画像を記録出力する画像出力処理ステップと、
を有することを特徴とする画像形成制御方法。
【請求項８】
制御プロセッサに、
出力対象の画像データに対して、画像毎に、該画像の種別を判別する画像種別判別処理と、
前記画像毎の該画像種別判別結果に基づいて、前記画像データの頁毎の画像種別を頁種別として判別する頁種別判別処理と、
情報出力手段へ情報を出力する情報出力処理と、
前記画像データの前記頁種別判別結果を情報出力処理で前記情報出力手段に出力させる出力制御処理と、
前記情報出力手段に出力される前記頁種別判別結果に基づいて、操作手段から操作入力される画像出力モードを取得する出力モード取得処理と、
前記画像データに対して前記画像出力モードに基づいて施す画像処理と、
前記画像処理後の画像データに基づいて、被記録媒体に画像を記録出力する画像出力処理と、
を実行させることを特徴とする画像形成制御プログラム。
【発明の詳細な説明】
【技術分野】
【０００１】
本発明は、画像形成装置、画像形成制御方法及び画像形成制御プログラムに関し、詳細には、処理対象の画像データに対する画像出力設定に関する画像形成装置、画像形成制御方法及び画像形成制御プログラムに関する。
【背景技術】
【０００２】
画像データに基づいて、画像を用紙、フィルム等の被記録媒体（以下、単に、用紙という。）に記録する画像形成装置は、用紙に合わせて自動的に倍率を調整する倍率調整機能、用紙を選択する用紙選択機能、複数頁の画像データを１枚の用紙へ出力する集約機能（ｎin１：２in１等）、用紙の両面に出力する両面選択機能等を適宜選択に応じて実行する。
【０００３】
例えば、従来、複数の項目からなる複写モードを有する複写機であって、原稿群の画像を読み取る読み取り手段と、上記読み取り手段が読み取った各原稿の画像データを記憶する記憶手段と、上記画像データのページ毎にそれぞれ複写モードを設定して、上記原稿群全体に対して１組のモードデータセットを得るためのモード設定手段と、上記モードデータセットの内容を変更して、前記１組のモードデータセットとは異なるモードデータセットを得るためのモード変更手段と、上記記憶手段に記憶された画像データを読み出して画像形成を行う画像形成手段と、上記モード設定手段及びモード変更手段でセットされたモードデータセット毎に、各ページ毎の複写モードに応じて各ページの複写動作を順次上記画像形成手段に実行させる制御手段を備えた複写機が提案されている（特許文献１参照）。
【０００４】
すなわち、この従来技術は、画像データの頁毎に複写モードを設定して、原稿群全体に対して１組のモードデータセットを取得し、また、このモードデータセットの内容を変更して、異なるモードデータセットを取得して、最終的なモードデータ設定に基づいて、頁毎の複写モードに応じて各頁の複写を行う。
【発明の概要】
【発明が解決しようとする課題】
【０００５】
しかしながら、上記従来技術にあっては、出力対象の画像データの頁毎に、ユーザが画像データを確認してモードデータセットを行うとともに、モードデータセットの内容を必要に応じて変更操作する必要があり、操作性が悪く、利用性を向上させる上で、改良の必要があった。
【０００６】
そこで、本発明は、画像データの頁毎の画像出力設定を、容易に行うことを目的としている。
【課題を解決するための手段】
【０００７】
上記目的を達成するために、請求項１記載の画像形成装置は、出力対象の画像データに対して、画像毎に、該画像の種別を判別する画像種別判別手段と、前記画像毎の該画像種別判別結果に基づいて、前記画像データの頁毎の画像種別を頁種別として判別する頁種別判別手段と、情報を出力する情報出力手段と、各種操作が行われる操作手段と、前記画像データの前記頁種別判別結果を前記情報出力手段に出力させる出力制御手段と、前記情報出力手段に出力される前記頁種別判別結果に基づいて前記操作手段から操作入力される画像出力モードを取得する出力モード取得手段と、前記画像データに対して前記画像出力モードに基づいて画像処理を施す画像処理手段と、前記画像処理後の画像データに基づいて、被記録媒体に画像を記録出力する画像出力手段と、を備えていることを特徴としている。
【発明の効果】
【０００８】
本発明によれば、画像データの頁毎の画像出力設定を、容易に行うことができる。
【図面の簡単な説明】
【０００９】
【図１】本発明の第１実施例を適用した画像形成装置の外観斜視図。
【図２】操作表示部の平面図。
【図３】画像形成装置のブロック構成図。
【図４】画像処理部の詳細なブロック図。
【図５】原稿種識別部のブロック図。
【図６】原稿の一例と読取ラインを示す図。
【図７】カウント部におけるカウント処理の説明図。
【図８】濃度ヒストグラム部における濃度ヒストグラム作成処理の説明図。
【図９】白・黒・単色連続性部による連続性カウント処理の説明図。
【図１０】原稿の画像種別の一例を示す図。
【図１１】原稿種別判別処理の説明図。
【図１２】画像形成装置の機能ブロック図。
【図１３】画像形成制御処理を示すフローチャート。
【図１４】データ−原稿種対応表の一例を示す図。
【図１５】原稿種一覧表の一例を示す図。
【図１６】原稿種一覧表表示画面を表示している状態の操作表示部の平面図。
【図１７】頁指定画面を表示している状態の操作表示部の平面図。
【図１８】処理設定画面の要部を示す図。
【図１９】処理設定画面の処理設定の説明図。
【図２０】処理設定画面の一例を示す図。
【図２１】処理設定確認画面の一例を示す図。
【図２２】設定適用画面の一例を示す図。
【図２３】レイアウト表示画面の一例を示す図。
【図２４】修正・確認処理を示すフローチャート。
【図２５】原稿種選択画面の一例を示す図。
【図２６】修正選択欄の表示例を示す図。
【図２７】修正・確認対象頁を複数頁選択している状態の処理設定画面の一例を示す図。
【図２８】複数頁に対する修正処理を指定する処理設定画面の一例を示す図。
【図２９】第２実施例の修正・確認処理を示すフローチャート。
【図３０】第２実施例の画像形成装置の頁選択画面の一例を示す図。
【図３１】原稿種追加の説明図。
【図３２】出力形態画面の一例を示す図。
【図３３】セット処理追加画面の一例を示す図。
【図３４】図３３（ａ）に対応する出力形態画面の一例を示す図。
【図３５】図３３（ｂ）に対応する出力形態画面の一例を示す図。
【図３６】第３実施例の画像形成装置における原稿種識別部のブロック構成図。
【図３７】マーク登録原稿の一例を示す図。
【図３８】オプション項目を表示するディスプレイの一例を示す図。
【図３９】マーク登録処理を示すフローチャート。
【図４０】第３実施例の画像形成制御処理を示すフローチャート。
【図４１】マークが付与されている原稿の一例を示す図。
【図４２】マークによる原稿種判定の原稿種一覧表の一例を示す図。
【図４３】第４実施例の画像形成制御処理を示すフローチャート。
【図４４】第４実施例の修正・確認処理を示すフローチャート。
【図４５】第４実施例の頁指定画面の一例を示す図。
【図４６】頁指定範囲毎の修正処理の説明図。
【図４７】原稿種修正設定項目の一例を示す図。
【図４８】設定禁止の項目を有する場合の原稿種修正設定の説明図。
【図４９】頁範囲毎原稿種修正処理対象の原稿種情報の一例を示す図。
【図５０】頁範囲毎の原稿種修正処理結果の一例を示す図。
【発明を実施するための形態】
【００１０】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１１】
図１〜図２８は、本発明の画像形成装置、画像形成制御方法及び画像形成制御プログラムの第１実施例を示す図であり、図１は、本発明の画像形成装置、画像形成制御方法及び画像形成制御プログラムの第１実施例を適用した画像形成装置１の構成図である。
【００１２】
図１において、画像形成装置１は、画像形成装置本体部１０に、大容量給紙部２０と後処理部３０が接続されている。
【００１３】
画像形成装置本体部１０は、本体筐体１１の上部に、スキャナ部１２のコンタクトガラス１３が配設されており、コンタクトガラス１３を開閉可能に、ＡＤＦ（Auto Document Feeder）１４が取り付けられている。ＡＤＦ１４は、コンタクトガラス１３の表面を覆うように閉じられて、上部に形成されている原稿台に複数枚の原稿がセットされて、原稿読取開始が指示操作されると、１枚ずつ、原稿をコンタクトガラス１３上に搬送する。
【００１４】
スキャナ部１２は、ＣＣＤ（Charge Coupled Device ）、ＣＭＯＳ（Complementary Metal Oxide Semiconductor ）等を利用したイメージスキャナ等が利用されており、コンタクトガラス１３上の原稿を主走査及び副走査して、該原稿の画像を読み取る。スキャナ部１２は、読み取った原稿の画像を、Ｒ（レッド）、Ｇ（グリーン）、Ｂ（ブルー）の画像信号（画像データ）として、読取制御部（図３参照）７３へ出力する。
【００１５】
ＡＤＦ１４は、コンタクトガラス１３の下方に配設されているスキャナ部１２によってコンタクトガラス１３上の原稿の画像が読み取られると、読取の完了した原稿を排紙トレイ１５上に排出する。なお、ＡＤＦ１４は、コンタクトガラス１３上に手操作でセットされた原稿をコンタクトガラス１３に押しつける圧板としての機能も有している。
【００１６】
大容量給紙部２０は、複数の給紙トレイを備え、各給紙トレイには、それぞれ用紙サイズ、用紙厚等の用紙種別の異なる複数枚の用紙（被記録媒体）を収納可能である。大容量給紙部２０は、画像形成に際して指定された給紙トレイ内の用紙を１枚ずつ画像形成装置本体部１０に搬送する。
【００１７】
画像形成装置本体部１０は、上記本体筐体１１内に、上記スキャナ部１２、画像形成部、用紙搬送部等を備えており、給紙部１６及び操作表示部１７等を備えている。
【００１８】
給紙部１６は、複数の給紙トレイを備え、各給紙トレイには、それぞれ用紙サイズ、用紙厚等の用紙種別の異なる複数枚の用紙を収納可能である。給紙部１６は、画像形成に際して指定された給紙トレイ内の用紙を１枚ずつ送り出し、画像形成装置本体部１０の用紙搬送部が画像形成部へ搬送する。
【００１９】
操作表示部１７は、図２に示すように、ハードキー４１、ディスプレイ４２及びモードキー４３等が設けられている。
【００２０】
操作表示部１７は、ハードキー４１として、テンキー、クリアストップキー、スタートキー、リセットキー、プログラムキー等が設けられている。また、操作表示部１７は、モードキー４３として、コピー、プリンタ、ＦＡＸ、スキャナ等が設けられている。ディスプレイ４２は、耐え、ＬＣＤ（Liquid Crystal Display）の上面にタッチ操作を検出するタッチパネルが設けられているタッチパネル付きＬＣＤ（Liquid Crystal Display）等が用いられている。ディスプレイ４２は、画像形成装置１からユーザに通知する各種情報やハードキー４１、モードキー４３の操作内容等の各種情報、特に、本発明の画像データの頁毎の画像出力設定に関する各種情報を表示出力する。また、ディスプレイ４２は、機能ボタンを表示し、該機能ボタンのタッチ操作をタッチパネルで検出して操作内容を取得する。
【００２１】
画像形成部は、図示しないが、給紙部１６から搬送されてきた被記録媒体としての用紙に、例えば、電子写真方式で画像データに応じたトナー画像（現像剤像）を転写して形成する。なお、画像形成部は、その画像形成方式としては、電子写真方式に限るものではなく、例えば、インク吐出方式であってもよいが、本実施例においては、電子写真方式が用いられているものとして説明する。
【００２２】
すなわち、電子写真方式の画像形成部は、図示しないが、電子写真方式の場合、例えば、一定速度で回転駆動される感光体の周囲に、帯電部、光書込部、現像部、転写部、定着部、クリーニング部、除電部等が配設されており、帯電部で感光体を一様に帯電させる。画像形成部は、一様に帯電させた感光体に光書込部から画像データに基づいて変調した書込光（レーザビーム）を照射することで静電潜像を形成する。画像形成部は、静電潜像の形成された感光体に現像部からトナーを供給して静電潜像を現像させてトナー画像を形成させ、該トナー画像を給紙部１６または大容量給紙部２０から用紙搬送部によってタイミング調整されて搬送されてきた用紙に転写部で転写させる。そして、画像形成部は、転写の完了した感光体をクリーニング部で該感光体上に残留する残留トナーを除去させた後、除電部で除電させ、帯電部で一様に帯電させて、再度、画像形成に供する。
【００２３】
用紙搬送部は、画像形成部でトナー画像の転写された用紙を、定着部に搬送する。定着部は、画像形成部でトナー画像が転写された用紙を加熱・加圧しつつ搬送してトナー画像を用紙に定着させ、定着の完了した用紙を後処理部３０へ送り出す。
【００２４】
後処理部３０は、例えば、画像形成装置本体部１０から送り込まれてくる画像形成済みの用紙に対して、ソート、穴あけ、ステイプル等の後処理を行って、排紙トレイＴＬ１、ＴＬ２に排出する。
【００２５】
そして、画像形成装置１は、図３に示すようにブロック構成されており、制御系統部５０と画像処理系統部６０等を備えている。なお、図３においては、大容量給紙部２０及び後処理部３０については、省略している。
【００２６】
制御系統部５０は、ＣＰＵ（Central Processing Unit）５１、メモリ５２、コントローラＡＳＩＣ（Application Specific Integrated Circuit）５３、操作表示部１７及びハードディスク（ＨＤＤ）５４等を備えている。
【００２７】
画像処理系統部６０は、ＣＰＵ６１、ＡＳＩＣ６２、メモリ６３、エンジン６４、画像処理制御部６５、読取ユニット６６、書込ユニット６７及びメモリ６８等を備えている。画像処理制御部６５は、画像処理部７１、Ｉ／Ｆ（インターフェイス）７２、読取制御部７３及び書込制御部７４等を備えている。
【００２８】
画像処理制御部６５とコントローラＡＳＩＣ５３は、バスＢ１で接続され、画像処理制御部６５とＣＰＵ６１及びＡＳＩＣ６２とは、バスＢ２によって接続されていて、それぞれ相互にアクセス可能となっている。
【００２９】
メモリ５２は、ＲＯＭ（Read Only Memory）、ＲＡＭ（Random Access Memory）等で構成されている。メモリ５２は、画像形成装置１としての基本プログラム、本発明の画像形成制御プログラム及び必要なシステムデータや該画像形成制御プログラムの実行に必要なデータを記憶している。また、メモリ５２は、ＣＰＵ５１のワークメモリとしても利用される。
【００３０】
ＣＰＵ５１は、コントローラＡＳＩＣ５３を介して、メモリ５２内のプログラムに基づいて、画像形成装置１の各部を制御して、画像形成装置１としての基本処理を実行するとともに、本発明の画像形成制御方法を実行する。
【００３１】
コントローラＡＳＩＣ５３は、ＣＰＵ５１、メモリ５２、操作表示部１７及びハードディスク５４に接続されているとともに、ネットワークＮＷに接続されている。コントローラＡＳＩＣ５３は、ハードディスク５４との接続を行うとともに、ユーザが操作指示するための入力やユーザへのメッセージ表示等を行うためのインタフェース部となる操作表示部１７とデータ処理のための一時記憶部であるメモリ５２との間のデータの授受を行う。また、コントローラＡＳＩＣ５３は、ネットワークＮＷを介してコンピュータ等の情報処理装置と通信して、印刷ジョブの受信や印刷結果の送信等を行う。
【００３２】
ハードディスク５４は、所定の大容量を有したメモリであり、ＣＰＵ５１や画像処理制御部６５の一時記憶メモリ、各種データの記憶メモリとして利用される。
【００３３】
画像処理系統部６０は、その画像処理制御部６５が、画像データの取り込み及び出力に必要な各種画像処理、特に、本発明の画像形成制御方法に基づく画像データの頁毎の画像出力設定に応じた画像処理を行う。
【００３４】
読取ユニット６６は、上記スキャナ部１２のＣＣＤ等の読取部であり、画像処理制御部６５の読取制御部７３の制御下で、読み取った原稿の画像データを読取制御部７３へ出力する。
【００３５】
書込ユニット６７は、上記画像形成部の光書込部等を総称したものであり、画像処理制御部６５の書込制御部７４から渡される画像データに基づいて書込光を感光体へ出射して、感光体表面に静電潜像を形成する。
【００３６】
Ｉ／Ｆ７２は、画像処理部７１における画像データの処理・加工等の画像編集処理における画像データを一時記憶する補助記憶装置としてのメモリ６８やハードディスク５４とのデータの授受を行う。
【００３７】
また、Ｉ／Ｆ７２は、Ｉ／Ｆ部は、画像処理制御部６５の制御、各種設定を行うためのＣＰＵ６１との信号の授受も行う。
【００３８】
ＣＰＵ６１は、ＣＰＵ５１と連携して、ＡＳＩＣ６２を介してメモリ６３を利用して、画像処理における各種処理を実行し、特に、画像処理部７１における画像処理の各種処理の設定や制御を行う。
【００３９】
エンジン６４は、画像形成部及びスキャナ部１２とＡＤＦ１４等の画像形成を行うエンジン及び画像読取を行うエンジンを総称したものであり、ＡＳＩＣ６２に接続されている。
【００４０】
ＡＳＩＣ６２は、ＣＰＵ６１、メモリ６３及びエンジン６４に接続されており、ＣＰＵ６１の制御下で、画像処理制御部６５とメモリ６３とのデータの授受、エンジン６４の動作制御を行う。
【００４１】
画像処理制御部６５の画像処理部７１は、読取ユニット６６から読取制御部７３を介して入力された画像データを、指定された出力形態に合わせてデータの処理・加工等の画像編集処理を行う。
【００４２】
上記画像処理部７１は、詳細には、図４のように示される。画像処理部７１は、図４に示すように、スキャナ補正処理部８１、Ｉ／Ｆ８２、フィルタ８３、地肌除去部８４、色補正部８５、変倍部８６、カラー判定部８７、像域分離部８８、原稿種識別部８９、階調補正部９０、地紋合成部９１及びプリンタ補正処理部９２等を備えている。また、図４では、画像処理部７１が、上記Ｉ／Ｆ７２を介して、上記メモリ６８に接続され、バスＢ１を介して制御系統部５０のコントローラＡＳＩＣ５３に、バスＢ２を介して画像処理系統部６０のＣＰＵ６１に、それぞれ接続されていることが示されている。
【００４３】
スキャナ補正処理部８１は、読取制御部７３とＩ／Ｆ８２に接続されており、読取制御部７３から送られてくる原稿の反射リニアな読取画像データに対して、濃度リニアな画像データに変換して、Ｉ／Ｆ８２へ出力する。
【００４４】
Ｉ／Ｆ８２は、スキャナ補正処理部８１から送られてくる画像データをフィルタ８３及びカラー判定部８７、像域分離部８８、原稿種識別部８９へ出力する。
【００４５】
フィルタ８３は、Ｉ／Ｆ８２から入力される画像データに対して、ノイズ除去等のフィルタ処理を行ない、処理済みの画像データを地肌除去部８４へ出力する。
【００４６】
地肌除去部８４は、フィルタ８３からの画像データに対して、地肌の汚れ等を除去する地肌除去処理を行ない、色補正部８５へ出力する。
【００４７】
色補正部８５は、濃度リニアなＲＧＢの画像データをＣＭＹＫ（Ｃ：シアン、Ｍ：マゼンタ、Ｙ：イエロー、Ｋ：ブラック）の画像データに変換して、変倍部８６に出力する。
【００４８】
変倍部８６は、所定ライン分のラインメモリを備え、該ラインメモリを利用して画像データの変倍処理を行って、Ｉ／Ｆ７２へ出力する。
【００４９】
Ｉ／Ｆ７２は、変倍部８６からの画像データを、コントローラＡＳＩＣ５３を介して、ハードディスク５４へ一時保管する。
【００５０】
一方、画像処理部７１は、Ｉ／Ｆ８２から画像データをカラー判定部８７及び像域分離部８８へ渡す。
【００５１】
像域分離部８８は、画像データが文字であるか、写真であるかの判定を行う機能を有し、文字、白背景、エッジ、網点、文字なか、色等を検知して、検知結果を原稿種識別部８９へ出力する。この像域分離部８８による文字、白背景、エッジ、網点、文字なか、の検知結果は、排他結果であり、像域分離部８８の検知結果は、これらのいずれかとなるが、色の検知は、排他ではない。例えば、像域分離部８８による検知結果は、文字と色、エッジと色、文字なかと色なし等である。
【００５２】
カラー判定部８７は、Ｉ／Ｆ８２からの画像データに対して、カラーであるか、モノクロであるかの判定を行ない、判定結果を原稿種識別部８９へ出力する。
【００５３】
原稿種識別部８９は、図５に示すようにブロック構成されており、カウント部１０１、濃度ヒストグラム部１０２、前処理部１０３、白・黒・単色連続性部１０４、原稿種候補部１０５及び原稿種判定部１０６等を備えている。
【００５４】
カウント部１０１は、上記像域分離部８８の検知結果が入力され、像域分離部８８からの信号（検知結果）における文字や白背景、エッジ、網点、文字なか、色のそれぞれの信号を区別して、それぞれについて画素毎にカウントする。カウント部１０１は、カウント結果を原稿種候補部１０５へ出力する。
【００５５】
濃度ヒストグラム部１０２は、Ｉ／Ｆ８２からスキャナ補正処理部８１でスキャナ補正された画像データが入力され、該画像データの主走査方向のライン単位における濃度ヒストグラム作成して、原稿種候補部１０５へ出力する。
【００５６】
前処理部１０３は、Ｉ／Ｆ８２からスキャナ補正処理部８１でスキャナ補正された画像データが入力され、白色画素の連続性と、黒色あるいは単色の連続性と、をカウントするための前処理を行って、白・黒・単色連続性部１０４へ出力する。
【００５７】
具体的には、前処理部１０３は、前処理として、画像データに対して、地肌の汚れ等を除去する地肌除去処理、スキャナ部１２における原稿の読み取りにおける色むらを無くすため平滑化処理、白、黒、単色を区別するため階調を減らすＮ値化処理を行う。また、前処理部１０３は、Ｎ値化による細線の途切れをなくすための膨張処理等を施す。ここで、Ｎ値化処理におけるＮ値は、パラメータにより設定可能であり、最適な色数（Ｎ値）が設定される。前処理部１０３は、前処理を施した画像データを、白・黒・単色連続性部１０４にて、白、黒、単色のそれぞれが連続している数をカウントする。
【００５８】
例えば、前処理部１０３は、図６に示すような原稿Ｇの画像をスキャナ部１２で読み取った場合、原稿Ｇの読取ラインＬ１の主走査１ライン毎のデータについて、白、黒、単色のそれぞれが連続している数をカウントする。
【００５９】
いま、図７（ａ）に示すような像域分離結果が像域分離部８８から入力されると、カウント部１０１は、１ラインのデータのそれぞれの画素の像域分離結果として、網点、文字、文字なか、エッジ、色、白をカウントする。
【００６０】
図７において、１ライン分の像域分離結果データが、図７（ａ）に各画素を四角で示すような場合に、像域分離部８８による像域分離の結果が、「空欄」が、白背景、「×」が、文字、「〇」が、エッジ、「△」が、網点とする。この場合、白背景が、９画素、文字が、７画素、エッジが、６画素、網点が、２画素、文字なが、０画素であり、カウント部１０１は、図７（b）に示すように、これら各要素を、それぞれカウントする。なお、カウント部１０１は、色については、図７には図示しないが、上記各要素とは別に、「色」と「色なし」としてカウントする。
【００６１】
すなわち、カウント部１０１は、主走査１ライン毎について、各々のラインの像域分離結果毎に画素数をカウントする。したがって、図７（b）に示すように、１ラインについての像域分離結果から、網点、文字、文字なか、エッジ、色、白背景に対してのドット数のヒストグラムを生成することができる。なお、図７（b）に示すヒストグラムは、一例であり、図７（ａ）の正確な結果を示すものではない。
【００６２】
濃度ヒストグラム部１０２は、上述のように、画像データの主走査方向のライン単位における濃度ヒストグラムを作成するが、濃度ヒストグラム部１０２は、ＲＧＢ毎の濃度を、「０」〜「２５５」のレベルで各色の各濃度毎に画素をカウントする。
【００６３】
例えば、図８（ａ）に示すように、1ラインの画像データとして、４つのレベル（Ｎ１、Ｎ２、Ｎ３、Ｎ４）の濃度があるものとする。この場合、濃度ヒストグラム部１０２は、Ｎ１の濃度が、６画素、Ｎ２の濃度が、３画素、Ｎ３の濃度が、４画素、Ｎ４の濃度が、１１画素のようにカウントする。
【００６４】
濃度ヒストグラム部１０２は、主走査１ライン毎について、各々のラインの濃度毎の画素数をカウントし、１ラインについてのカウント結果について、図８（b）に示すように、濃度０〜２５５に対して各ドット数をカウントした結果のヒストグラムを生成する。なお、図８（b）に示すヒストグラムは、一例であり、図８（ａ）の正確な結果を示すものではない。また、濃度ヒストグラム部１０２は、白・黒・単色の連続性ヒストグラムについては、各画素が白、黒、単色として、隣の画素と同色である場合の連続数をカウントする。
【００６５】
前処理部１０３は、白・黒・単色連続性部１０４による白・黒・単色の連続性化と後続の処理の前処理として、地肌除去によりゴミを除去し、平滑化、Ｎ値化、膨張の各処理により、濃度差の少ない画素を連続として判断できるようにする。
【００６６】
白・黒・単色連続性部１０４は、前処理部１０３で前処理された画像データに対して、白・黒・単色の連続数をカウントする。
【００６７】
いま、例として、図９（ａ）に示す３つの異なるラインＬａ、Ｌｂ、Ｌｃにおいて、「白」が、白色、「黒」が、黒色、「斜線」が、単色を示しており、また、「斜線」の形状の違う斜線は、異なる色（濃度）とする。
【００６８】
図９（ａ）において、ラインＬａでは、黒の３連続が「６」、ラインＬｂでは、白の１１連続が「１」、白の１０連続が「１」、黒の３連続が「１」、ラインＬｃでは、白の２連続が「３」、単色の８連続が「２」、単色の２連続が「１」である。ここで、白・黒・単色連続性部１０４は、単色については、同色（隣の画素とのＲＧＢ毎全て同濃度）の連続をカウントする。
【００６９】
連続数に対する画素数は、例えば、図９（ａ）のラインＬａでは、黒の３連続が１８画素となり、ラインＬｃでは、白の２連続が６画素、単色の８連続が１６画素、単色の２連続が２画素となる。ただし、連続数とする値は、適宜設定可能であり、例えば、設定が「５」に設定されると、白・黒・単色連続性部１０４は、５連続未満については、連続としてカウントしない。
【００７０】
白・黒・単色連続性部１０４による連続性のカウント結果から、ヒストグラムとしては、例えば、図９（b）、（ｃ）（ｄ）に示すように、黒の連続性、白の連続性及び単色の連続性の３種類を作成する。
【００７１】
すなわち、白・黒・単色連続性部１０４は、主走査１ラインについて、白、黒、単色の連続性の画素数をカウントする。その結果、例えば、図９（b）〜（ｄ）に示すように、１ラインについての結果に基づいて、連続数に対して画素数のヒストグラムを生成することができる。なお、図９（ｂ）は、黒連続性ヒストグラム、図９（ｃ）は、白連続性ヒストグラム、図９（ｄ）は、単色連続性ヒストグラムである。なお、図９（ｂ）〜（ｄ）のヒストグラムは、一例であり、図９（ａ）の正確な結果を示すものではない。
【００７２】
原稿種識別部８９は、カウント部１０１、濃度ヒストグラム部１０２及び白・黒・単色連続性部１０４によるそれぞれのヒストグラム生成の結果を、原稿種候補部１０５に入力させる。
【００７３】
原稿種候補部１０５は、これらカウント部１０１、濃度ヒストグラム部１０２、白・黒・単色連続性部１０４の結果から原稿種の候補を管理する。
【００７４】
例えば、原稿の画像種別として、図１０（ａ）〜（ｄ）に示すような写真Ｇａ、文書Ｇｂ、線画（表）Ｇｃ、線画（図形）Ｇｄがあるものとして、原稿種識別部８９による原稿種候補の判定方法について、以下、説明する。
【００７５】
図１０（ａ）の写真Ｇａの場合、カラーあるいは濃淡がある。また、図１０（ｂ）の文書Ｇｂの場合、濃淡がなく、黒あるいは単色であり、領域毎に行間や文字間となる白（地肌色）のみのデータが定期的に存在する。ただし、縦書きと横書きで、定期的に白（地肌色）のみのデータとなる領域が異なる。図１０（ｃ）（ｄ）に示すように、線画の場合は、表と図形がある。図１０（ｃ）の表の線画Ｇｃの場合は、黒あるいは単色で、ライン毎でのヒストグラムとしては、極端に画素が多くなる箇所が定期的に存在し、また、数ライン連続している。図１０（ｄ）の図形の線画Ｇｄの場合は、単色で輪郭と塗りつぶされている部分が存在し、画素が多くなる箇所が存在、あるいは、画素が少なくなる箇所が存在、また、連続している。
【００７６】
そこで、原稿種候補部１０５は、上記画像種別Ｇａ〜Ｇｄの特徴を考慮して、カウント部１０１、濃度ヒストグラム部１０２及び白・黒・単色連続性部１０４からの３種類のヒストグラムからライン読取毎の画像種類を判断し、原稿種候補とする。
【００７７】
原稿種候補部１０５は、具体的には、以下のような条件により、写真、文書、線画、白紙及びそれら以外の５候補とする。
【００７８】
原稿種候補部１０５は、以下の特徴による閾値を設けて、文書原稿候補を判断する。
【００７９】
文書原稿候補条件Ｊ１
Ｊ１−１：像域分離ヒストグラムの結果において、文字、文字なか、白、エッジの数が多いこと。
【００８０】
Ｊ１−２：濃度ヒストグラムの結果において、黒、単色、白などのように濃度の範囲が狭くドットが多いこと。
【００８１】
Ｊ１−３：白・黒・単色連続性ヒストグラムの結果において、連続数の小さいものが多くなること。
【００８２】
また、原稿種候補部１０５は、以下の特徴による閾値を設けて、写真原稿候補を判断する。
【００８３】
写真原稿候補条件Ｊ２
Ｊ２−１：像域分離ヒストグラムの結果において、色、網点の数が多いこと。
【００８４】
Ｊ２−２：濃度ヒストグラムの結果において、広範囲の濃度が存在すること。
【００８５】
Ｊ２−３：白・黒・単色連続性ヒストグラムの結果において、連続性の数が大きいものが存在しないこと。
【００８６】
さらに、原稿種候補部１０５は、以下の特徴による閾値を設けて、線画原稿候補を判断する。
【００８７】
線画原稿候補条件Ｊ３
Ｊ３−１：像域分離ヒストグラムの結果において、エッジが多いこと。
【００８８】
Ｊ３−２：濃度ヒストグラムの結果において、黒、単色、白の濃度のように濃度の範囲が狭くドットが極端に多い場合。
【００８９】
Ｊ３−３：白・黒・単色連続性ヒストグラムの結果において、連続性の大きいものがあること。
【００９０】
また、原稿種候補部１０５は、以下の特徴による閾値を設けて、白紙原稿候補を判断する。
【００９１】
白紙原稿候補条件Ｊ４
Ｊ４−１：像域分離ヒストグラムの結果において、色なし、白背景となること。
【００９２】
Ｊ４−２：濃度ヒストグラムの結果において、低濃度のみとなっていること。
【００９３】
Ｊ４−３：白・黒・単色連続ヒストグラムの結果において、白連続のみで連続性の大きいものとなること。
【００９４】
Ｊ４−４：いずれのヒストグラムにおいても、画素がほとんど存在しないこと。
【００９５】
そして、原稿種候補部１０５は、上記候補条件に基づいて、画像データのライン毎に原稿種候補を求めて、原稿種判定部１０６へ原稿種候補を出力する。
【００９６】
原稿種判定部１０６は、原稿種候補部１０５のライン毎の原稿種候補情報に基づいて、頁毎に、該頁の原稿種を判断する。
【００９７】
原稿種判定部１０６は、原稿種候補部１０５からのライン毎の候補の結果に対して、判断基準を設けて、文書、写真、線画、白紙、それ以外の原稿種を判定する。ここで、それ以外とは、写真、文書、線画が混在する原稿種である。
【００９８】
いま、原稿種判定部１０６は、図１１において、図１１（ａ）に示す写真、図１１（ｂ）に示す文書、図１１（ｃ）に示す線画、図１１（ｄ）に示す写真＋文書、図１１（ｅ）に示す線画＋文書、図１１（ｆ）に示す写真＋線画、図１１（ｇ）に示す写真＋線画＋文書とこれらのカラー／モノクロの組み合わせを判断し、図１１（ｈ）に示すように、１４種類を判断することになる。
【００９９】
また、原稿種判定部１０６は、カラー判定部８７からカラー／モノクロの判定結果が入力され、カラー判定部３０７からのカラー判定結果に基づいて、頁毎にカラーであるか、モノクロであるかを判定する。
【０１００】
原稿種判定部１０６は、原稿種候補部１０５からの原稿種候補情報に基づいて、以下のように、文書原稿、写真原稿、線画原稿及びそれ以外（組み合わせ４種）の原稿である７種類の原稿種（頁種別）の判定とカラー／モノクロの判定である合計１４種類の判定を行う。
【０１０１】
すなわち、原稿種判定部１０６は、具体的には、以下のような原稿種判定条件により、文書、写真、線画及びそれら以外の７種の原稿種を判定する。
【０１０２】
原稿種判定部１０６は、以下の特徴から閾値を設けて、文書原稿を判定する。
【０１０３】
文書原稿条件Ｊ１１
Ｊ１１−１：ライン毎の候補として文書候補が多いこと。
【０１０４】
Ｊ１１−２：ライン毎の候補として文書候補が連続すること。
【０１０５】
Ｊ１１−３：ライン毎の候補として文書候補と白紙が繰り返されること。
【０１０６】
Ｊ１１−４：ライン毎の候補と線画候補が繰り返されること。
【０１０７】
原稿種判定部１０６は、以下の特徴から閾値を設けて、写真原稿を判定する。
【０１０８】
写真原稿条件Ｊ１２
Ｊ１２−１：ライン毎の候補として写真候補が多いこと。
【０１０９】
Ｊ１２−２：ライン毎の候補として写真候補が連続すること。
【０１１０】
Ｊ１２−３：ライン毎の候補として白紙候補がまちまち（数十〜数百）に表れないこと。
【０１１１】
原稿種判定部１０６は、以下の特徴から閾値を設けて、線画原稿を判定する。
【０１１２】
線画原稿条件Ｊ１３
Ｊ１３−１：ライン毎の候補として線画候補が多いこと。
【０１１３】
Ｊ１３−２：ライン毎の候補として線画候補が連続すること。
【０１１４】
Ｊ１３−３：ライン毎の候補として白候補がまちまち（数十〜数百）に合わられないこと。
【０１１５】
そして、原稿種判定部１０６は、上記の各特徴からなる原稿（原稿種：頁種別）以外の原稿を、それ以外の原稿（混在する原稿）であると判定する。
【０１１６】
例えば、図１１（ｄ）に示す原稿の場合、文書原稿と写真原稿が副走査方向で分かれているおり、文書原稿と写真原稿の判定となる部分が領域毎に存在する。この場合、原稿種判定部１０６は、原稿種判定部１０６は、線画候補がないこと、黒連続性、白連続性の小さい値が多く存在することから、文字＋写真の混在する原稿（それ以外の原稿）であると判定する。
【０１１７】
また、図１１（ｅ）に示す原稿の場合、文書原稿と線画原稿が副走査方向で分かれており、文書原稿と線画原稿の判定となる部分が領域毎に存在する。この場合、原稿種判定部１０６は、写真候補がないこと、濃度ヒストグラムの分布が広範囲連続して存在しないことから、文字＋線画の混在する原稿（それ以外の原稿）であると判定する。
【０１１８】
さらに、図１１（ｆ）に示す原稿の場合、写真原稿と線画原稿が副走査方向で分かれており、写真原稿と線画原稿の判定となる部分が領域毎に存在する。この場合、原稿種判定部１０６は、文字候補がないこと、黒連続性、白連続性の小さい値が多く存在しないことから、写真＋線画の混在する原稿（それ以外の原稿）であると判定する。
【０１１９】
また、図１１（ｇ）の原稿の場合、文書原稿と写真原稿と線画原稿が副走査方向で分かれており、文書原稿と写真原稿と線画原稿の判定となる部分が領域毎に存在する。この場合、原稿種判定部１０６は、濃度ヒストグラムの分布が広範囲連続して存在すること、黒連続性、白連続性の小さい値が多く存在することから、上記図１１（ｄ）、（ｅ）、（ｆ）に当てはまらないため、文書＋写真＋線画の混在する原稿（それ以外の原稿）であると判定する。
【０１２０】
図４に戻って、画像処理部７１は、画像データに対して原稿種識別部８９で識別された頁毎の原稿種の情報をＩ／Ｆ７２に出力し、Ｉ／Ｆ７２は、変倍部８６から入力される画像データと関連付けて、バスＢ１を介してコントローラＡＳＩＣ５３に渡す。コントローラＡＳＩＣ５３は、画像データと原稿種情報を、ＣＰＵ５１の制御下で、ハードディスク５４へ格納する。
【０１２１】
ＣＰＵ５１は、ハードディスク５４に格納した画像データの原稿種情報を、コントローラＡＳＩＣ５３を介して、操作表示部１７に表示させる。
【０１２２】
操作表示部１７のディスプレイ４２への画像データの原稿種情報（頁種別判別結果）の表示に応じて、ユーザによって、操作表示部１７の出力モードの指定操作が行われると、該出力モード指定情報をコントローラＡＳＩＣ５３がＣＰＵ５３に渡す。
【０１２３】
ＣＰＵ５３は、該操作表示部１７における出力モード指定に応じて頁毎に、画像データの出力モードを設定する。
【０１２４】
ＣＰＵ５３は、画像データの頁毎の出力モードの設定が完了すると、該画像データを、コントローラＡＳＩＣ５３を介してハードディスク５４から読み出して、Ｉ／Ｆ７２を介して階調補正部９０へ出力する。
【０１２５】
画像処理部７１の階調補正部９０は、Ｉ／Ｆ７２を介してハードディスク５４またはメモリ６８から入力されるＣ、Ｍ、Ｙ、Ｋの画像データに対して、画像形成部の特性に合わせて濃度補正を行い、地紋合成部９１に出力する。
【０１２６】
地紋合成部９１は、階調補正部９０からの画像データに対して、印刷物では目立たないが複写物において顕在化する地紋画像を付加する地紋付加処理を必要に応じて行って、プリンタ補正処理部９２へ出力する。
【０１２７】
プリンタ補正処理部９２は、地紋合成部９１からの画像データに対してγ補正処理、中間調処理等の補正処理を施して書込制御部７４へ出力する。
【０１２８】
書込制御部７４は、プリンタ補正処理部９２から渡される画像データを書込ユニット６７に渡して、書込ユニット６７を駆動制御し、書込光を感光体へ出射させる。
【０１２９】
そして、画像形成装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の画像形成制御方法を実行する画像形成制御プログラムを読み込んでメモリ５２やハードディスク５４等に導入することで、後述する画像データの頁毎の画像出力設定を、容易に行う画像形成制御方法を実行する画像形成装置として構築されている。この画像形成制御プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【０１３０】
画像形成装置１は、上記画像形成制御プログラムが導入されることで、図１２に示す機能ブロックが構築される。すなわち、画像形成装置１は、画像形成制御プログラムが導入されると、図１２に示すように、画像種別判別機能部１１１、頁種別判別機能部１１２、情報出力機能部１１３、操作機能部１１４、出力制御機能部１１５、出力モード取得機能部１１６、画像処理機能部１１７、画像出力機能部１１８及び画像読取機能部１１９等が構築される。
【０１３１】
画像種別判別機能部１１１は、カウント部１０１、濃度ヒストグラム部１０２、前処理部１０３、白・黒・単色連続性部１０４及び原稿種候補部１０５により構築され、出力対象の画像データに対して、画像毎に、該画像の種別（画像種別）を判別する。したがって、画像種別判別機能部１１１は、画像種別判別手段として機能している。
【０１３２】
頁種別判別機能部１１２は、原稿種判定部１０６により構築され、画像毎の該画像種別判別結果に基づいて、前記画像データの頁毎の画像種別を頁種別（原稿種別）として判別する。頁種別判別機能部１１２は、頁画像種別判別手段として機能している。
【０１３３】
情報出力機能部１１３は、操作表示部１７のディスプレイ４２により構築され、情報を出力（表示出力）する。したがって、情報出力機能部１１３は、情報出力手段として機能している。
【０１３４】
操作機能部１１４は、操作表示部１７のタッチパネル、ハードキー４１等で構築され、各種操作が行われる。したがって、操作機能部１１４は、操作手段として機能している。
【０１３５】
出力制御機能部１１５は、ＣＰＵ５１及びコントローラＡＳＩＣ５３により構築され、画像データの原稿種判別結果（頁種別判別結果）を操作表示部１７のディスプレイ（情報出力手段）４２に出力（表示出力）させる。したがって、出力制御機能部１１５は、出力制御手段として機能している。
【０１３６】
出力モード取得機能部１１６は、ＣＰＵ５１及びコントローラＡＳＩＣ５３により構築され、情報出力手段である操作表示部１７のディスプレイに出力される原稿種判別結果に基づいて操作表示部１７から操作入力される画像出力モードを取得する。したがって、出力モード取得機能部１１６は、出力モード取得手段として機能している。
【０１３７】
画像処理機能部１１７は、ＣＰＵ５１、画像処理部７１の階調補正部９０、地紋合成部９１、プリンタ補正処理部９２等で構築され、画像データに対して画像出力モードに基づいて画像処理を施す。画像処理機能部１１７は、画像処理手段として機能している。
【０１３８】
画像出力機能部１１８は、画像形成部で構築され、画像処理後の画像データに基づいて、被記録媒体である用紙に画像記録出力する。したがって、画像出力機能部１１８は、画像出力手段として機能している。
【０１３９】
画像読取機能部１１９は、スキャナ部１２により構築され、原稿の画像を読み取って該原稿の画像データを出力する。したがって、画像読取機能部１１９は、画像読取手段として機能している。
【０１４０】
次に、本実施例の作用を説明する。本実施例の画像形成装置１は、画像データの頁毎の画像出力設定を、容易に行う。
【０１４１】
画像形成装置１は、スキャナ部１２で読み取った原稿の画像データやネットワークＮＷを介して受信した画像データを、処理対象の画像データとして、頁毎の画像種別を判定して、操作表示部１７のディスプレイ４２に提示する。ユーザがこの提示を見て、操作表示部１７で出力モードを指示すると、該指示に応じて画像処理して画像形成出力する。
【０１４２】
なお、以下の説明では、説明を明確にするために、原稿をスキャナ部１２で読み取った読取画像データを処理対象画像データとして説明する。
【０１４３】
画像形成装置１は、例えば、ＡＤＦ１４に原稿がセットされて、操作表示部１７で、モードキー４３のコピーキーが操作され、ディスプレイ４２で出力モードが指定されると、指定された出力モードに合わせて画像データに対して画像処理する。画像形成装置１は、画像処理した画像データに基づいて、画像形成部で画像形成出力する。なお、以下の説明では、この原稿の種類を識別して、原稿種毎に処理設定を行い、処理させる動作モードを、適宜、原稿毎設定モードという。
【０１４４】
すなわち、画像形成装置１は、図１３に示すように、複数枚の原稿がＡＤＦ１４にセットされ、操作表示部１７の操作で、原稿毎設定キー（図２のディスプレイ４２に、機能キーとして表示）が操作されると、原稿毎設定モードへ移行する（ステップＳ１０１）。
【０１４５】
画像形成装置１は、原稿毎設定モードへ移行して、操作表示部１７でスタートキー（図２のハードキーのスタートキー）が操作されると、ＡＤＦ１４を駆動させて原稿を１枚ずつ、コンタクトガラス１３上に搬送して、スキャナ部１２に原稿の画像を読み取らせる。画像形成装置１は、スキャナ部１２の画像データを、画像処理部７１のスキャナ補正処理部８１から変倍部８６において必要な画像処理を行って、ハードディスク５４またはメモリ６８に保管する（ステップＳ１０２）。
【０１４６】
一方、画像形成装置１は、読み取った原稿の画像データを、カラー判定部８７、像域分離部８８及び原稿種識別部８９で、上述のようにして頁毎に原稿種とカラーまたはモノクロを判定する（ステップＳ１０３）。
【０１４７】
画像形成装置１は、原稿の頁と判定結果の原稿種及び記憶している画像データとを対応付けて、例えば、図１４に示すデータ−原稿種対応表Ｈ１として、ハードディスク５４またはメモリ６８に記憶して管理する（ステップＳ１０４）。なお、図１４のデータ−原稿種対応表Ｈ１では、１頁目が、線画原稿（図）と文書原稿が混在するそれ以外の原稿で、カラーであること及び格納アドレスが対応付けて登録されている。また、データ−原稿種対応表Ｈ１は、最後の６頁目が、文書原稿で、カラーであること及び格納アドレスが対応付けて登録されている。
【０１４８】
画像形成装置１は、１頁分の原稿について読取処理及び原稿種判定処理が完了すると、全ての原稿について処理が完了したかチェックする（ステップＳ１０５）。
【０１４９】
ステップＳ１０５で、全ての原稿について処理が完了していないとき（ステップＳ１０５で、ＮＯのとき）、画像形成装置１は、ステップＳ１０２に戻って、上記同様に処理する（ステップＳ１０２〜Ｓ１０５）。
【０１５０】
ステップＳ１０５で、全ての原稿について処理が完了すると（ステップＳ１０５で、ＹＥＳのとき）、画像形成装置１は、データ−原稿種対応表Ｈ１を読み出して、一覧データとして編集した後、操作表示部１７のディスプレイ４２へ表示する（ステップＳ１０６）。画像形成装置１は、データ−原稿種対応表Ｈ１を、例えば、図１５に示すような原稿種一覧表Ｈ２に編集する。図１５の原稿種一覧表Ｈ２では、原稿種に対して、色、原稿の枚数及びその原稿種の頁が、それぞれ登録されている。例えば、図１５では、図１４のデータ−原稿種対応表Ｈ１に基づいて、Ｎｏ．１には、原稿種として、「文書」が、色として、「モノクロ」が、枚数として、「２」枚が、頁として、「２、５」が登録されている。
【０１５１】
画像形成装置１は、この原稿種一覧表Ｈ２を、例えば、図１６に示すように、操作表示部１７のディスプレイ４２へ、原稿一覧表表示画面Ｇ１として表示する。この場合、画像形成装置１は、図１６に示すように、原稿一覧表表示画面Ｇ１に、原稿種一覧表Ｈ２とともに、確認機能ボタンＫＢ１をディスプレイ４２に表示する。
【０１５２】
次に、画像形成装置１は、ユーザがディスプレイ４２の原稿種一覧表表示画面Ｇ１を見て、操作表示部１７のディスプレイ４２に原稿種一覧表Ｈ２とともに表示している確認機能ボタンＢ１が操作されると、図１７に示すような頁指定画面Ｇ２を表示する。画像形成装置１は、この頁指定画面Ｇ２では、図１７に示すように、原稿種一覧表Ｈ２とともに修正選択欄ＳＬ１の確認機能ボタンＢ１、頁指定機能ボタンＫＢ２及び原稿種追加機能ボタンＫＢ３を表示する。
【０１５３】
画像形成装置１は、この頁指定画面Ｇ２では、ユーザが出力モードとして選択する原稿の頁が、テンキーによって指定操作されるのを待って、確認する修正・確認処理を行う（ステップＳ１０７）。修正・確認処理については、後で詳細に説明する。
【０１５４】
この修正・確認処理において、原稿種、色、頁の修正が行われ、あるいは、修正が行われることなく、修正・確認処理が完了すると、画像形成装置１は、原稿種対応処理の入力を待つ（ステップＳ１０８）。画像形成装置１は、原稿種対応処理入力待ちでは、例えば、図１８に示すような処理設定入力画面Ｇ３をディスプレイ４２に表示する。すなわち、処理設定入力画面Ｇ３は、図１８に示すように、原稿種毎に対する処理設定入力を行う画面表示であり、処理設定の入力は、例えば、処理１、処理２、処理３がある。処理１は、図１９（ａ）に示すように、集約、拡大、縮小の設定であり、集約は、ｎ頁（例えば、２頁、４頁等）を１枚の用紙に収まるようにサイズを縮小して出力するｎｉｎ１である。拡大は、例えば、１００％〜４００％で画像の拡大を指定する設定であり、縮小は、１００％〜２５％で画像の縮小を指定する設定である。処理２は、図１９（ｂ）に示すように、カラー、モノクロ、２色、単色の設定であり、２色及び単色が選択された場合には、さらに、色の選択を可能にする。また、処理３は、図１９（ｃ）に示すように、片面、両面の設定であり、用紙への片面印刷と両面印刷のいずれかを指定する設定である。
【０１５５】
画像形成装置１は、原稿種対応処理入力が行われると、図２０に示すように、処理設定画面Ｇ４を操作表示部１７のディスプレイ４２に表示する。
【０１５６】
この処理設定画面Ｇ４で、確認機能キーＫＢ１が操作されると、画像形成装置１は、原稿種対応処理入力で設定された内容に基づく処理判断と処理の設定を行う（ステップＳ１０９）。
【０１５７】
具体的には、ステップＳ１０８で、原稿種毎の処理方法が設定されると、画像形成装置１は、例えば、図２１に示すように、読み取った原稿の頁順に原稿種と処理を処理設定確認画面Ｇ５をディスプレイ４２に表示する。画像形成装置１は、処理設定確認画面Ｇ５で、「確認」が操作されると、例えば、図２２に示すように、集約や両面による印刷頁毎の設定適用画面Ｇ６をディスプレイ４２に表示する。図２２の設定適用画面Ｇ６では、２ｉｎ１、両面が指定されている頁４〜頁６が、４頁の１枚に集約されることが表示されており、確認することがでる。また、図２２の設定適用画面Ｇ６では、補正機能キーＫ３とレイアウト機能キーＫＢ５が表示されている。画像形成装置１は、設定適用画面Ｇ６でレイアウト機能キーＫＢ５が操作されると、例えば、図２３に示すように、設定適用画面Ｇ６の設定に基づいた出力画像のレイアウトを示すレイアウト表示画面Ｇ７をディスプレイ４２に表示する。このレイアウト表示画面Ｇ７には、レイアウトともに、戻る機能キーＫＢ６が表示されており、画像形成装置１は、戻る機能キーＫＢ６が操作されると、図２２の設定適用画面Ｇ６または図２１の処理設定確認画面Ｇ５の表示に戻る。
【０１５８】
また、図２２の設定適用画面Ｇ６で、補正機能キーＫＢ４が操作されると、画像形成装置１は、図２０の処理設定画面Ｇ４の表示に戻って、処理設定を可能とする。
【０１５９】
そして、図２２の設定適用画面Ｇ６を表示している状態で、ハードキー４１のスタートキーが操作されると、画像形成装置１は、複写動作を実行して、画像形成制御処理を終了する（ステップＳ１１０）。
【０１６０】
そして、画像形成装置１は、図１３のステップＳ１０７の修正・確認処理を、図２４に示すように実行する。なお、図１２に示したように、修正項目は、原稿種、色、頁である。
【０１６１】
そこで、画像形成装置１は、修正・確認処理に入ると、まず、原稿種の修正があったかチェックし（ステップＳ２０１）、修正があると（ステップＳ２０１で、ＹＥＳのとき）、図１７に示した頁指定画面Ｇ２の表示を行って、頁指定を待つ（ステップＳ２０２）。頁指定画面Ｇ２における頁の指定は、操作表示部１７のテンキーによって行われる。
【０１６２】
画像形成装置１は、ステップＳ２０２で、頁が指定されると、例えば、図２５に示すような原稿種選択画面Ｇ８をディスプレイ４２に表示し、原稿種が選択されるのを待つ（ステップＳ２０３）。図２５の原稿種選択画面Ｇ８では、修正選択欄ＳＬ１と確認機能ボタンＫＢ１も表示されており、修正選択欄ＳＬ１には、原稿種が表示される。
【０１６３】
原稿種選択画面Ｇ８で原稿種の選択が行われると、画像形成装置１は、処理情報修正・管理処理を行う（ステップＳ２０４）。この場合、画像形成装置１は、例えば、図２５に示すように、選択された原稿種（図２５のＮｏ．３の写真）に対応させて、修正選択欄ＳＬ１に、選択されている原稿種を明示する。なお、図２５では、修正選択欄ＳＬ１に、写真の選択に対して、原稿種を表示して、ハッチングを施さない状態で示す写真が選択されていることが示されている。
【０１６４】
画像形成装置１は、処理情報修正・管理を行うと、修正後の一覧表示をディスプレイ４２に行ない（ステップＳ２０５）、修正が終了したかチェックする（ステップＳ２０６）。画像形成装置１は、この修正が終了したか否かを、確認機能ボタンＫＢ１が操作されたか否かで判断する。
【０１６５】
ステップＳ２０６で、修正が終了していないとき（ステップＳ２０６で、ＮＯのとき）、画像形成装置１は、ステップＳ２０１に戻って、上記同様に処理する。
【０１６６】
ステップＳ２０１で、原稿種の修正がないと（ステップＳ２０１で、ＮＯのとき）、画像形成装置１は、色の修正があったかチェックする（ステップＳ２０７）。
【０１６７】
ステップＳ２０７で、色について修正があると（ステップＳ２０７で、ＹＥＳのとき）、図１７に示した頁指定画面Ｇ２の表示を行って、頁指定を待つ（ステップＳ２０８）。  画像形成装置１は、ステップＳ２０８で、頁が指定されると、例えば、図２５に示したような原稿種選択画面Ｇ８のうち、修正選択欄ＳＬ１として、図２６（ａ）に示すような色の修正選択欄としてディスプレイ４２に表示し、色が選択されるのを待つ（ステップＳ２０９）。
【０１６８】
原稿種選択画面Ｇ８で色の選択が行われると、画像形成装置１は、処理情報修正・管理処理を行う（ステップＳ２０４）。この場合、画像形成装置１は、選択された色に対応させて、修正選択欄ＳＬ１に、選択されている色を明示する。
【０１６９】
画像形成装置１は、処理情報修正・管理を行うと、修正後の一覧表示をディスプレイ４２に行ない（ステップＳ２０５）、修正が終了したかチェックする（ステップＳ２０６）。
【０１７０】
ステップＳ２０６で、修正が終了していないと、画像形成装置１は、ステップＳ２０１に戻って、上記同様に処理する。
【０１７１】
ステップＳ２０１で、原稿種の修正がなく、ステップＳ２０７でも、色の修正がないと（ステップＳ２０７で、ＮＯのとき）、画像形成装置１は、頁の修正があるかチェックする（ステップＳ２１０）。
【０１７２】
ステップＳ２１０で、図２５の原稿種選択画面Ｇ８の頁項目が操作されて、頁について修正があると（ステップＳ２１０で、ＹＥＳのとき）、画像形成装置１は、頁指定表示を行って、頁指定を待つ（ステップＳ２１１）。すなわち、画像形成装置１は、ステップＳ２１１で、頁が指定されると、例えば、図２５の原稿種選択画面Ｇ８のうち、修正選択欄ＳＬ１に、図１７に示した頁指定画面Ｇ２の頁指定機能ボタンＫＢ２をディスプレイ４２に表示し、頁が選択されるのを待つ。
【０１７３】
頁指定が行われると、画像形成装置１は、修正選択欄ＳＬ１として、例えば、図２６（ｂ）に示すような原稿種と色の選択欄を表示し、原稿種と色が選択されるのを待つ（ステップＳ２１２）。
【０１７４】
原稿種選択画面Ｇ８で原稿種と色の選択が行われると、画像形成装置１は、処理情報修正・管理処理を行う（ステップＳ２０４）。この場合、画像形成装置１は、選択された原稿種と色に対応させて、修正選択欄ＳＬ１に、選択されている色を明示する。
【０１７５】
画像形成装置１は、処理情報修正・管理を行うと、修正後の一覧表示をディスプレイ４２に行ない（ステップＳ２０５）、修正が終了したかチェックする（ステップＳ２０６）。
【０１７６】
ステップＳ２０６で、修正が終了していないと、画像形成装置１は、ステップＳ２０１に戻って、上記同様に処理する。
【０１７７】
ステップＳ２０１で、原稿種の修正がなく、ステップＳ２０７でも、色の修正がなく、さらに、ステップＳ２１０で、頁の修正がないと（ステップＳ２１０で、ＮＯのとき）、画像形成装置１は、任意の修正があるかチェックする（ステップＳ２１３）。すなわち、画像形成装置１は、原稿種選択画面Ｇ８で、原稿種、色、頁以外の項目が選択操作されるかチェックする。
【０１７８】
ステップＳ２１３で、原稿種選択画面Ｇ８で任意の項目が選択されると（ステップＳ２１３で、ＹＥＳのとき）、画像形成装置１は、修正選択欄ＳＬ１として、例えば、図２６（ｂ）に示したような原稿種・色の修正選択欄を表示する（ステップＳ２１４）。
【０１７９】
原稿種と色が選択されるのを待つ（ステップＳ２１２）。
【０１８０】
原稿種選択画面Ｇ８で原稿種と色の選択が行われると、画像形成装置１は、処理情報修正・管理処理を行う（ステップＳ２０４）。この場合、画像形成装置１は、選択された原稿種と色に対応させて、修正選択欄ＳＬ１に、選択されている色を明示する。
【０１８１】
画像形成装置１は、処理情報修正・管理を行うと、修正後の一覧表示をディスプレイ４２に行ない（ステップＳ２０５）、修正が終了したかチェックする（ステップＳ２０６）。
【０１８２】
ステップＳ２０６で、修正が終了していないと、画像形成装置１は、ステップＳ２０１に戻って、上記同様に処理する。
【０１８３】
ステップＳ２０６で、修正が終了すると（ステップＳ２０６で、ＹＥＳのとき）、画像形成装置１は、修正・確認処理を終了して、図１３のステップＳ１０８へ戻る戻り処理を行う。
【０１８４】
なお、上記説明においては、原稿種の修正・確認処理を頁毎に実行しているが、複数頁を纏めて実行してもよい。
【０１８５】
この場合、画像形成装置１は、図１３に示した画像形成制御処理において、ステップＳ１０７の修正・確認処理までは、上記同様に処理する。そして、ステップＳ１０８の原稿種対応処理入力処理に移行すると、画像形成装置１は、ステップＳ１０８の原稿種対応処理へ移行して、図２７に示すように、図１８と同様の処理設定画面Ｇ３ａをディスプレイ４２に表示する。そして、画像形成装置１は、この処理設定画面Ｇ３ａにおいて、例えば、図２７にハッチングで示すように、複数頁に対する処理の同時指定を許可する。図２７の場合、片面、両面を設定する処理３において、Ｎｏ．１の原稿種が文書で、色がモノクロの原稿、Ｎｏ．２の原稿種が文書で、色がカラーの原稿、Ｎｏ．４の原稿種が線画（図）で、色がモノクロの原稿の複数頁の原稿が選択指定されている。
【０１８６】
画像形成装置１は、原稿種対応入力処理の処理３の片面、両面処理で、複数原稿が選択されると、図２８に示すように、片面、両面を選択する処理設定画面Ｇ４ａをディスプレイ４２に表示する。なお、図２８では、選択された３頁に対して、両面が選択されている状態を示している。
【０１８７】
画像形成装置１は、処理設定画面Ｇ４ａでの選択結果に基づいて、選択されている複数頁の原稿に対して、修正処理を一括して実行する。
【０１８８】
画像形成装置１は、修正後の処理については、上記同様に実行する。
【０１８９】
したがって、同じ処理内容に修正したい頁が複数頁存在するときには、纏めて修正することができ、利用性を向上させることができる。
【０１９０】
このように、本実施例の画像形成装置１は、出力対象の画像データに対して、画像毎に、該画像の種別を判別する画像種別判別機能部（画像種別判別手段）１１１と、前記画像毎の該画像種別判別結果に基づいて、前記画像データの頁毎の画像種別を頁種別として判別する頁種別判別機能部（頁種別判別手段）１１２と、情報を出力する情報出力機能部（情報出力手段）１１３と、各種操作が行われる操作機能部（操作手段）１１４と、前記画像データの前記頁種別判別結果を前記情報出力機能部１１３に出力させる出力制御機能部（出力制御手段）１１５と、前記情報出力機能部１１３に出力される前記頁種別判別結果に基づいて前記操作機能部１１４から操作入力される画像出力モードを取得する出力モード取得機能部（出力モード取得手段）１１６と、前記画像データに対して前記画像出力モードに基づいて画像処理を施す画像処理機能部（画像処理手段）１１７と、前記画像処理後の画像データに基づいて、用紙（被記録媒体）に画像を記録出力する画像出力機能部（画像出力手段）１１８と、を備えている。
【０１９１】
したがって、自動解析された画像種別に基づく頁種別に基づいて、容易かつ適切に画像出力設定を設定することができ、画像データの頁毎の画像出力設定を、容易に行うことができる。
【０１９２】
また、本実施例の画像形成装置１は、出力対象の画像データに対して、画像毎に、該画像の種別を判別する画像種別判別処理ステップと、前記画像毎の該画像種別判別結果に基づいて、前記画像データの頁毎の画像種別を頁種別として判別する頁種別判別処理ステップと、情報出力機能部（情報出力手段）１１３へ情報を出力する情報出力処理ステップと、前記画像データの前記頁種別判別結果を情報出力処理ステップで前記情報出力機能部１１３に出力させる出力制御処理ステップと、前記情報出力機能部１１３に出力される前記頁種別判別結果に基づいて、操作機能部１１４から操作入力される画像出力モードを取得する出力モード取得処理ステップと、前記画像データに対して前記画像出力モードに基づいて画像処理を施す画像処理ステップと、前記画像処理後の画像データに基づいて、用紙（被記録媒体）に画像を記録出力する画像出力処理ステップと、を有する画像形成制御方法を実行している。
【０１９３】
したがって、自動解析された画像種別に基づく頁種別に基づいて、容易かつ適切に画像出力設定を設定することができ、画像データの頁毎の画像出力設定を、容易に行うことができる。
【０１９４】
さらに、本実施例の画像形成装置１は、ＣＰＵ５１等の制御プロセッサに、出力対象の画像データに対して、画像毎に、該画像の種別を判別する画像種別判別処理と、前記画像毎の該画像種別判別結果に基づいて、前記画像データの頁毎の画像種別を頁種別として判別する頁種別判別処理と、情報出力機能部（情報出力手段）１１３へ情報を出力する情報出力処理と、前記画像データの前記頁種別判別結果を情報出力処理で前記情報出力機能部１１３に出力させる出力制御処理と、前記情報出力機能部１１３に出力される前記頁種別判別結果に基づいて、操作機能部１１４から操作入力される画像出力モードを取得する出力モード取得処理と、前記画像データに対して前記画像出力モードに基づいて施す画像処理と、前記画像処理後の画像データに基づいて、用紙（被記録媒体）に画像を記録出力する画像出力処理と、を実行させる画像形成制御プログラムを搭載している。
【０１９５】
したがって、自動解析された画像種別に基づく頁種別に基づいて、容易かつ適切に画像出力設定を設定することができ、画像データの頁毎の画像出力設定を、容易に行うことができる。
【０１９６】
また、本実施例の画像形成装置１は、原稿Ｇの画像を読み取って該原稿Ｇの画像データを出力する画像読取機能部（画像読取手段）１１９を、さらに備え、前記画像種別判別機能部１１１が、前記画像読取機能部１１９の読み取った前記画像データを、前記出力対象の画像データとして、画像毎に、該画像の種別を判別する。
【０１９７】
したがって、原稿の画像を複写する際においても、画像データの頁毎の画像出力設定を、容易に行うことができる。
【０１９８】
さらに、本実施例の画像形成装置１は、前記操作機能部１１４が、前記情報出力機能部１１３に出力される前記頁種別判別結果に基づいて、異なる頁種別に対して、一括して前記画像出力モードを設定可能である。
【０１９９】
したがって、部数の追加と、部毎の原稿種の修正を可能とすることができ、より一層利用性を向上させることができる。
【実施例２】
【０２００】
図２９〜図３１は、本発明の画像形成装置、画像形成制御方法及び画像形成制御プログラムの第２実施例を示す図であり、図２９は、本発明の画像形成装置、画像形成制御方法及び画像形成制御プログラムの第２実施例を適用した画像形成装置による修正・確認処理を示すフローチャートである。
【０２０１】
なお、本実施例は、上記第１実施例の画像形成装置１と同様の画像形成装置に適用したものであり、本実施例の説明においては、必要に応じて、第１実施例の説明で用いた符号をそのまま用いて説明する。
【０２０２】
本実施例の画像形成装置１は、原稿種毎に修正処理の指定を行っている第１実施例とは異なり、原稿の指定頁毎に、修正処理の指定を可能としている。
【０２０３】
本実施例の画像形成装置１は、第１実施例の図１３に示した画像形成制御処理と同様の画像形成制御処理を、ステップＳ１０１からステップＳ１０６まで、実行する。
【０２０４】
そして、画像形成装置１は、画像形成制御処理において、ステップＳ１０７の修正・確認処理へ移行すると、図２９に示す修正・確認処理を実行する。なお、図２９において、図２４の処理ステップと同様の処理ステップには、同一のステップナンバを付与して、その説明を省略または簡略化する。
【０２０５】
画像形成装置１は、修正・確認処理へ移行すると、図２４の修正・確認処理と同様に、原稿種の修正の有無に基づく処理（ステップＳ２０１〜Ｓ２０６）、色修正の有無に基づく処理（ステップＳ２０７〜Ｓ２０９、Ｓ２０４〜Ｓ２０６）を実行する。
【０２０６】
そして、ステップＳ２１０で、頁の修正があるかチェックし（ステップＳ２１０）、頁について修正があると、画像形成装置１は、頁指定表示を行って、頁の指定と処理指示を待つ（ステップＳ３０１）。
【０２０７】
ステップＳ３０１では、画像形成装置１は、図３０に示すような頁選択画面Ｇ９をディスプレイ４２に表示し、頁選択画面Ｇ９には、修正選択欄ＳＬ１と確認機能ボタンＫＢ２も表示する。そして、画像形成装置１は、修正選択欄ＳＬ１に、頁指定項目と原稿種追加項目を表示する。
【０２０８】
頁選択画面Ｇ９では、操作表示部１７のテンキーにより頁指定が行われ、続けて、「原稿種追加」の操作が可能となっている。
【０２０９】
そこで、画像形成装置１は、ステップＳ３０１で、頁指定が行われると、原稿種、色の変更指定が行われたかチェックする（ステップＳ３０２）。
【０２１０】
ステップＳ３０２で、原稿種、色の変更指示があると（ステップＳ３０２で、ＹＥＳのとき）、画像形成装置１は、変更指定指示に応じて原稿種、色の変更を行い（ステップＳ３０３）、ステップＳ２０４へ移行する。
【０２１１】
ステップＳ３０２で、原稿種、色の変更指定がないと（ステップＳ３０２で、ＮＯのとき）、画像形成装置１は、原稿種の追加が指定されたかチェックする（ステップＳ３０４）。
【０２１２】
ステップＳ３０４で、原稿種の追加が指定されると（ステップＳ３０４で、ＹＥＳのとき）、画像形成装置１は、例えば、図３１（ａ）に示すような頁選択画面Ｇ９をディスプレイ４２に表示する。図３１（ａ）の頁選択画面Ｇ９では、頁として「６」頁が指定され、原稿種追加が操作されることで、原稿種欄に、「追加１」が追加され、色として、「カラー」が、枚数として、「１」が、そして、頁として、「６」頁が、修正されたことが示されている。
【０２１３】
画像形成装置１は、原稿種、色の変更が指定されると、ステップＳ２０４に移行して、上記同様に処理する（ステップＳ２０４〜Ｓ２０６）。
【０２１４】
ステップＳ３０４で、原稿種の追加が指定されないと（ステップＳ３０４で、ＮＯのとき）、画像形成装置１は、「頁」指定された頁に対して、同じ原稿種を追加する（ステップＳ３０６）。例えば、先に、図３１（ａ）に示した処理が行われた後、次の処理で、頁「５」が指定されて、ステップＳ３０４で、ＮＯのとき、図３１（ｂ）に示すように、追加１の原稿種に対して、指定された頁「５」を、頁項目欄に追加する。
【０２１５】
そして、ステップＳ２１０で、頁の修正がないと（ステップＳ２１０で、ＮＯのとき）、画像形成装置１は、図２４と同様に処理する（ステップＳ２１３〜Ｓ２１５、Ｓ２０４〜Ｓ２０６）。
【０２１６】
そして、ステップＳ２０６で、修正が終了すると（ステップＳ２０６で、ＹＥＳのとき）、画像形成装置１は、図１３のステップＳ１０８へ戻る戻り処理を行う。
【０２１７】
このように、本実施例の画像形成装置１は、前記操作機能部１１４が、前記情報出力機能部１１３に出力される前記頁種別判別結果に基づいて、頁を特定して該頁の頁種別を指定し、前記画像出力モードを設定可能である。
【０２１８】
したがって、出力設定を修正したい頁を指定してその頁の出力設定を修正することができ、画像データの頁毎の画像出力設定を、より一層容易に行うことができる。
【０２１９】
また、同じ画像データ（原稿）に基づいて複数部を出力する場合、部毎に、出力形態を異ならせるようにしてもよい。
【０２２０】
この場合、画像形成装置１は、図１３に示した画像形成制御処理において、ステップＳ１０８までは、上記同様にステップＳ１０１からステップＳ１０８まで順次処理する。そして、画像形成装置１は、ステップＳ１０９の処理判断と処理設定において、処理設定を確定すると、図３２に示すような出力形態画面Ｇ１０をディスプレイ４２に表示する。この出力形態画面Ｇ１０では、処理設定画面の他に、セット数（図３２では、４セット）、補正機能キーＫＢ４、レイアウト機能キーＫＢ５の他に、セット追加機能キーＫＢ７が表示されている。
【０２２１】
画像形成装置１は、出力形態画面Ｇ１０において、セット追加キーＫＢ７が操作されると、画像形成装置１は、図３３（ａ）に示すようなセット処理追加画面Ｇ１１をディスプレイ４２に表示する。画像形成装置１は、セット処理追加画面Ｇ１１では、原稿種一覧、出力枚数とセット数の出力情報及びセット追加機能キーＫＢ７と補正機能キーＫＢ４を表示する。図３３（ａ）のセット処理追加画面Ｇ１１では、セット数が「４」で、５枚の原稿が両面と片面の出力で、１部当たりの出力枚数が、「４」であることが表示されている。
【０２２２】
さらに、設置追加キーＫＢ７が操作されて、追加のセット数「３」が入力され、さらに、図３３（ｂ）にハッチングで示すように、片面が、両面に修正されると、画像形成装置１は、該セット追加と修正に基づいて出力形態を設定する。図３３（ｂ）では、追加操作されたセット数「３」が、追加表示されているとともに、片面が両面に修正されていることと、該修正にともなって、１部当たりの出力枚数が、「３」となっている。
【０２２３】
上記図３３（ａ）及び図３３（ｂ）の場合の出力形態画面１０は、図３４に示すように、セット１が、１部当たり４頁の出力形態となり、また、図３５に示すように、セット２が、１部当たり３頁の出力形態となる。
【実施例３】
【０２２４】
図３６〜図４２は、本発明の画像形成装置、画像形成制御方法及び画像形成制御プログラムの第３実施例を示す図であり、図３６は、本発明の画像形成装置、画像形成制御方法及び画像形成制御プログラムの第３実施例を適用した画像形成装置の原稿種識別部のブロック図である。
【０２２５】
なお、本実施例は、上記第１実施例の画像形成装置１と同様の画像形成装置に適用したものであり、本実施例の説明においては、第１実施例と同様の部分には、同一の符号を付与し、その説明を省略または簡略化する。また、本実施例の説明において、図示しない部分においても、第１実施例の説明で用いた符号をそのまま用いて説明する。
【０２２６】
本実施例の画像形成装置１は、予め登録したマークＭ（図３７参照）に原稿種を割り当てて予め登録する。画像形成装置１は、原稿Ｇ（図４１参照）に該マークＭが付与されているかチェックして、該マークＭが付与されていると、そのマークＭに対して登録されている原稿種を適用する。
【０２２７】
そこで、画像形成装置１は、図３６に示すような原稿種識別部１２０を備えている。原稿種識別部１２０は、第１実施例の原稿種識別部８９と同様のカウント部１０１、濃度ヒストグラム部１０２、前処理部１０３、白・黒・単色連続性部１０４及び原稿種判定部１０６を備えているとともに、パターンマッチング部１２１と原稿種候補部１２２を備えている。
【０２２８】
パターンマッチング部１２１は、内部メモリを備えており、該内部メモリに、予め登録されるマークＭの画像が格納されている。パターンマッチング部１２１は、Ｉ／Ｆ８２を介して読み取り原稿の画像データが入力され、該画像データにマークＭの画像と一致する画像が含まれているかのパターンマッチング処理を行って、処理結果を原稿種候補部１２２へ出力する。
【０２２９】
原稿種候補部１２２は、上記カウント部１０１、濃度ヒストグラム部１０２、白・黒・単色連続性部１０４から上記結果が入力されるとともに、予めマークＭに対応させて原稿種が登録されている。原稿種候補部１２２は、カウント部１０１、濃度ヒストグラム部１０２、白・黒・単色連続性部１０４からの結果から原稿種の候補を判定するとともに、マークＭに基づいて、原稿種を判定して、判定結果を原稿種判定部１０６へ出力する。
【０２３０】
原稿種判定部１０６は、上記同様に、文書原稿を判定する。
【０２３１】
そして、画像形成装置１は、画像形成制御処理に先立って、例えば、図３７に示すようなマーク登録原稿Ｇｍをスキャナ部１２で読み取って、マークＭをパターンマッチング部１２１の内部メモリ（記憶手段）に登録する。
【０２３２】
すなわち、画像形成装置１は、図３８（ａ）に示すようなオプション機能キーＫＢ１０を表示する初期画面Ｇ２１を操作表示部１７のディスプレイ４２に表示する。画像形成装置１は、オプション機能キーＫＢ１０が操作されると、図３８（ｂ）に示すようなマーク登録、削除、認識選択を選択する原稿毎設定オプション選択画面を表示する。
【０２３３】
画像形成装置１は、原稿毎設定オプション選択画面でマーク登録が選択されると、図３８に示すマーク登録処理を行う。
【０２３４】
すなわち、画像形成装置１は、図３７に示したようなマーク登録原稿ＧｍがＡＤＦ１４またはコンタクトガラス１３上にセットされて、初期画面Ｇ２１の原稿毎設定オプション機能キーＫＢ１０が操作されると、上記原稿毎設定オプション選択画面を表示する。
【０２３５】
画像形成装置１は、原稿毎設定オプション選択画面でマーク登録が指示操作されると（ステップＳ３０１）、スキャナ部１２によるマーク登録原稿Ｇｍのスキャンを実行させて、マークＭを読み取らせる（ステップＳ３０２）。
【０２３６】
画像形成装置１は、スキャナ部１２の読み取ったマークＭの画像を、例えば、パターンマッチング部１２１の内部メモリに登録して、マーク登録処理を終了する（ステップＳ３０３）。
【０２３７】
なお、登録したマークＭの画像の削除については、画像形成装置１は、図３８（ｂ）の原稿毎設定オプション選択画面でマーク削除が選択されると、登録されている全てのマークＭの一覧を表示して、選択されたマークＭを削除する。
【０２３８】
画像形成装置１は、上述のようにして、マークＭが登録されている状態で、複数枚の原稿がＡＤＦ１４にセットされ、操作表示部１７の操作で、上記原稿毎設定キーが操作されると、図４０の画像形成制御処理を行う。なお、図４０において、図１３の画像形成制御処理と同様の処理ステップには、同一のステップナンバを付与して、その詳細な説明を省略または簡略化する。
【０２３９】
すなわち、画像形成装置１は、図４０に示すように、原稿毎設定キーが操作されると、
原稿毎設定モードへ移行する（ステップＳ１０１）。
【０２４０】
画像形成装置１は、原稿毎設定モードへ移行して、操作表示部１７でスタートキーが操作されると、原稿の画像を、スキャナ部１２で１枚ずつ読み取らせて、必要な画像処理を行って、ハードディスク５４またはメモリ６８に保管する（ステップＳ１０２）。
【０２４１】
一方、画像形成装置１は、読み取った原稿の画像データを、カラー判定部８７、像域分離部８８及び原稿種識別部８９で、上述のようにして頁毎に原稿種とカラーまたはモノクロを判定する（ステップＳ１０３）。
【０２４２】
また、画像形成装置１は、原稿の画像データを、パターンマッチング部１２１へ送って、パターンマッチング部１２１に対して、原稿画像データに、登録されているマークＭの画像と一致する画像があるか否かのマーク認識を行わせる（ステップＳ４０１）。パターンマッチング部１２１は、マーク認識結果を原稿種候補部１２２へ出力する。
【０２４３】
パターンマッチング部１２１は、原稿Ｇが、例えば、図４１に示すようにマークＭが付与されているときには、このマークＭの画像が、登録画像と一致するか否かのマーク認識を行う。なお、図４１で、Ｌ１は、読み取りラインを示している。
【０２４４】
原稿種候補部１２２は、パターンマッチング部１２１のマーク認識結果を優先して、原稿種の判定を行い、原稿の頁と判定結果の原稿種及び記憶している画像データとを対応付けて、ハードディスク５４またはメモリ６８に記憶して管理する（ステップＳ１０４）。
【０２４５】
例えば、原稿種候補部１２２は、画像データに、マークＭが含まれると、該マークＭに対応して登録されている原稿種を、優先して原稿種判定を行い、マークＭが含まれていないと、上記同様に、原稿種判定を行う。画像形成装置１は、このマークＭに基づく原稿種の判定結果として、例えば、図４２に示すように、原稿種一覧表Ｈ２ｍを作成する。
【０２４６】
なお、マークＭが複数登録されており、原稿種判定に用いるものとして設定されているときには、画像形成装置１は、同様にマークＭ１、マークＭ２等のように判定結果の一覧を作成して表示する。
【０２４７】
画像形成装置１は、１頁分の原稿について読取処理及び原稿種判定処理が完了すると、全ての原稿について処理が完了したかチェックする（ステップＳ１０５）。
【０２４８】
ステップＳ１０５で、全ての原稿について処理が完了していないとき、画像形成装置１は、ステップＳ１０２に戻って、上記同様に処理する（ステップＳ１０２〜Ｓ１０５、Ｓ４０１）。
【０２４９】
ステップＳ１０５で、全ての原稿について処理が完了すると、画像形成装置１は、図１３と同様に処理を行って、原稿種に応じた画像処理と画像形成出力処理を行う（ステップＳ１０６〜Ｓ１１０）。
【０２５０】
このように、本実施例の画像形成装置１は、任意のマーク（識別情報）Ｍを前記頁種別のうちの１つの頁種別に割り当ててハードディスク（記憶手段）５４に記憶して管理するＣＰＵ５１、コントローラＡＳＩＣ５３等からなる識別情報／頁種別管理機能部（識別情報／頁種別管理手段）を、さらに備え、前記頁種別判別機能部１１２が、前記処理対象の画像データから頁毎に前記マークＭを取得し、該マークＭに対応してハードディスク５４に記憶されている前記頁種別を、該頁の頁種別として判別する。
【０２５１】
したがって、マークＭを登録して、頁種別の判定を行うことで、より一層ユーザの意図する原稿種判定を正確にかつ速やかに行うことができる。
【実施例４】
【０２５２】
図４３〜図５０は、本発明の画像形成装置、画像形成制御方法及び画像形成制御プログラムの第４実施例を示す図であり、図４３は、本発明の画像形成装置、画像形成制御方法及び画像形成制御プログラムの第４実施例を適用した画像形成装置による画像形成制御処理を示すフローチャートである。
【０２５３】
なお、本実施例は、上記第１実施例の画像形成装置１と同様の画像形成装置に適用したものであり、本実施例の説明においては、第１実施例と同様の部分には、同一の符号を付与し、その説明を省略または簡略化する。また、本実施例の説明において、図示しない部分においても、第１実施例の説明で用いた符号をそのまま用いて説明する。
【０２５４】
本実施例の画像形成装置１は、複数枚の原稿に対する出力設定を、頁の範囲を指定して、範囲毎に行う。
【０２５５】
すなわち、本実施例の画像形成装置１は、図４３に示すように画像形成制御処理を行うが、修正・確認処理が、図１３の画像形成制御処理と異なる。
【０２５６】
そこで、図４３においては、図１３と同様の処理ステップについては、同一のステップナンバを付与して、その詳細な説明を省略、または、簡略化する。
【０２５７】
図４３において、本実施例の画像形成装置１は、第１実施例の図１３に示した画像形成制御処理と同様の画像形成制御処理を、ステップＳ１０１からステップＳ１０６まで、実行する。
【０２５８】
そして、画像形成装置１は、画像形成制御処理において、ステップＳ５０１の修正・確認処理へ移行すると、図４４に示す修正・確認処理を実行する。なお、図２９において、図２４の処理ステップと同様の処理ステップには、同一のステップナンバを付与して、その説明を省略または簡略化する。
【０２５９】
画像形成装置１は、修正・確認処理へ移行すると、図４４の修正・確認処理と同様に、原稿種の修正の有無に基づく処理（ステップＳ２０１〜Ｓ２０６）、色修正の有無に基づく処理（ステップＳ２０７〜Ｓ２０９、Ｓ２０４〜Ｓ２０６）を実行する。
【０２６０】
上記処理において、修正後の一覧表示を行うと、修正終了であるかを判断する前に、画像形成装置１は、読み込んだ原稿の全頁の範囲が指定されているかをチェックする（ステップＳ６０１）。
【０２６１】
ステップＳ６０１で、全頁が指定されていると（ステップＳ６０１で、ＹＥＳのとき）、画像形成装置１は、修正終了か否かを判断して（ステップＳ２０６）、修正が完了していないと、ステップＳ２０１へ戻る。
【０２６２】
ステップＳ２０１で、原稿種の修正がなく、ステップＳ２０７でも、色の修正がないと、画像形成装置１は、頁の修正があるかチェックする（ステップＳ２１０）。
【０２６３】
ステップＳ２１０で、図２５に示した原稿種選択画面Ｇ８の頁項目が操作されて、頁について修正があると、画像形成装置１は、例えば、図４５に示すような頁指定表示画面Ｇ３１を表示して、頁指定を待つ（ステップＳ６０２）。すなわち、画像形成装置１は、図４５に示すように、頁指定表示画面Ｇ３１において、修正選択欄ＳＬ１に、頁指定を表示するとともに、頁分割機能キーＫＢ１１と確認キーＫＢ１を表示する。
【０２６４】
画像形成装置１は、頁指定操作が行われると、頁分割機能キーＫＢ１１が操作されたかチェックし（ステップＳ６０３）、頁分割機能キーＫＢ１１が操作されないと（ステップＳ６０３で、ＮＯのとき）、上記同様に原稿種・色の選択を行う（ステップＳ２１２）。すなわち、画像形成装置１は、修正選択欄ＳＬ１として、例えば、図２６（ｂ）に示したような原稿種と色の選択欄を表示し、原稿種と色が選択されるのを待つ（ステップＳ２１２）。原稿種選択画面Ｇ８で原稿種と色の選択が行われると、画像形成装置１は、処理情報修正・管理処理を行う（ステップＳ２０４）。この場合、画像形成装置１は、選択された原稿種と色に対応させて、修正選択欄ＳＬ１に、選択されている色を明示する。
【０２６５】
ステップＳ６０３で、頁分割機能キーＫＢ１１が操作されると（ステップＳ６０３で、ＹＥＳのとき）、画像形成装置１は、確定機能キーＫＢ１が操作されるのを待つ（ステップＳ６０４）。
【０２６６】
画像形成装置１は、確定機能キーＫＢ１が操作されると、頁を分割しての原稿種毎の処理モードへ移行し、修正選択欄ＳＬ１の頁指定に応じて、頁指定範囲毎に分割する（ステップＳ６０５）。すなわち、画像形成装置１は、図４６（ａ）に示すように、頁指定表示画面Ｇ３１ａとして示すように、頁分割処理の頁範囲が指定されていて、頁分割機能キーＫＢ１１が操作されると、図４６（ｂ）に示すように、頁範囲を修正選択欄ＳＬ１に表示して確認機能キーＫＢ１を表示する。なお、この場合、頁範囲が指定されていないときには、画像形成装置１は、ステップＳ６０２に戻る。
【０２６７】
そして、画像形成装置１は、指定頁範囲毎に分割して、処理情報修正・管理処理に移行して、頁分割した頁範囲における修正処理を行ない（ステップＳ２０４）、修正後の一覧表示を行う（ステップＳ２０５）。
【０２６８】
ステップＳ６０１で、原稿全範囲の指定でないと（ステップＳ６０１で、ＮＯのとき）、画像形成装置１は、ステップＳ６０２に戻って、図４６（ｃ）に示すように、頁指定表示を行って、頁が指定されるのを待つ（ステップＳ６０２）。ステップＳ６０２で、頁指定が、例えば、図４６（ｄ）に示すように行われると、画像形成装置１は、上記同様に、該頁指定範囲に対して、処理情報修正・管理処理を行う（ステップＳ２０４）。
【０２６９】
ステップＳ２０６で、全ての原稿に対する処理が終了すると、画像形成装置１は、修正・確認処理を終了して、図４３のステップＳ１０８へ戻る戻り処理を行う。画像形成装置１は、以降、上記同様に処理を行って（ステップＳ１０８〜Ｓ１１０）、画像形成制御処理を終了する。
【０２７０】
そして、上記修正・確認処理において、画像形成装置１は、例えば、図４７に示すように、原稿種、色、両面・片面、追加の各処理を行う。例えば、画像形成装置１は、原稿種処理として、処理１では、図４７（ａ）に示すように、集約、拡大、縮小の各処理を行ない、処理２では、図４７（ｂ）に示すように、カラー、モノクロ、２色、単色の色処理を行う。また、画像形成装置１は、処理３では、図４７（ｃ）に示すように、片面、両面の処理を行い、処理４では、図４７（ｄ）に示すように、地紋、削除、回転、白紙の各処理を行う。
【０２７１】
また、原稿種の修正設定においては、図４８に示すように、原稿種として判断することを禁止するようにしてもよい。図４８にハッチングで示すように、原稿毎設定オプションにおいて、処理追加が選択されたときに、「識別禁止」の項目を設けることで、原稿種として判断することを禁止してもよい。
【０２７２】
上記頁範囲毎の原稿種間の処理を、例えば、図４９に示すうように、２０頁の原稿に対して、図５０に示すように、１頁〜１０頁と、１１頁〜２０頁の２つに分けて行うと、１〜１０頁までは、原稿種が２種類となり、１１〜２０頁は、原稿種が４種類となる。
【０２７３】
このように、本実施例の画像形成装置１は、前記操作機能部１１４が、前記画像出力モードを入力する対象の頁範囲を指定して、該頁範囲毎に前記画像出力モードを操作入力可能であり、前記出力モード取得機能部１１６が、前記操作機能部１１４から操作入力される前記頁範囲毎に、前記画像出力モードを取得する。
【０２７４】
したがって、ユーザの意図に応じた頁範囲を指定して、画像出力モードを修正することができ、より一層適切かつ容易に画像出力設定を行うことができる。
【０２７５】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０２７６】
１  画像形成装置
１０  画像形成装置本体部
１１  本体筐体
１２  スキャナ部
１３  コンタクトガラス
１４  ＡＤＦ
１５  排紙トレイ
１６  給紙部
１７  操作表示部
２０  大容量給紙部
３０  後処理部
ＴＬ１、ＴＬ２  排紙トレイ
４１  ハードキー
４２  ディスプレイ
４３  モードキー
５１  ＣＰＵ
５２  メモリ
５３  コントローラＡＳＩＣ
５４  ハードディスク
６１  ＣＰＵ
６２  ＡＳＩＣ
６３  メモリ
６４  エンジン
６５  画像処理制御部
６６  読取ユニット
６７  書込ユニット
６８  メモリ
７１  画像処理部
７２  Ｉ／Ｆ
７３  読取制御部
７３  書込制御部
Ｂ１  バス
８１  スキャナ補正処理部
８２  Ｉ／Ｆ
８３  フィルタ
８４  地肌除去部
８５  色補正部
８６  変倍部
８７  カラー判定部
８８  像域分離部
８９  原稿種識別部
９０  階調補正部
９１  地紋合成部
９２  プリンタ補正処理部
Ｂ２  バス
１０１  カウント部
１０２  濃度ヒストグラム部
１０３  前処理部
１０４  白・黒・単色連続性部
１０５  原稿種候補部
１０６  原稿種判定部
１１１  画像種別判別機能部
１１２  頁種別判別機能部
１１３  情報出力機能部
１１４  操作機能部
１１５  出力制御機能部
１１６  出力モード取得機能部
１１７  画像処理機能部
１１８  画像出力機能部
１１９  画像読取機能部
１２０  原稿種識別部
１２１  パターンマッチング部
１２２  原稿種候補部
Ｇ１  原稿一覧表表示画面
Ｇ２  頁指定画面
Ｇ３  処理設定入力画面
Ｇ３ａ  処理設定画面
Ｇ４  処理設定画面
Ｇ４ａ  処理設定画面
Ｇ５  処理設定確認画面
Ｇ６  設定適用画面
Ｇ７  レイアウト表示画面
Ｇ８  原稿種選択画面
Ｇ９  頁選択画面
Ｇ１０  出力形態画面
Ｇ１１  セット処理追加画面
Ｇ２１  初期画面
Ｇ３１  頁指定表示画面
ＳＬ１  修正選択欄
ＫＢ１  確認機能ボタン
ＫＢ２  頁指定機能ボタン
ＫＢ３  原稿種追加機能ボタン
ＫＢ４  補正機能キー
ＫＢ５  レイアウト機能キー
ＫＢ７  セット追加機能キー
ＫＢ１０  オプション機能キー
ＫＢ１１  頁分割機能キー
Ｍ、Ｍ１、Ｍ２  マーク
Ｇ  原稿
Ｇｍ  マーク登録原稿
Ｈ１  データ−原稿種対応表
Ｈ２  原稿種一覧表
【先行技術文献】
【特許文献】
【０２７７】
【特許文献１】特開２００１−０１３８２５号公報
【図１】
2016082514.tif 000003
【図２】
2016082514.tif 000004
【図３】
2016082514.tif 000005
【図４】
2016082514.tif 000006
【図５】
2016082514.tif 000007
【図６】
2016082514.tif 000008
【図７】
2016082514.tif 000009
【図８】
2016082514.tif 000010
【図９】
2016082514.tif 000011
【図１０】
2016082514.tif 000012
【図１１】
2016082514.tif 000013
【図１２】
2016082514.tif 000014
【図１３】
2016082514.tif 000015
【図１４】
2016082514.tif 000016
【図１５】
2016082514.tif 000017
【図１６】
2016082514.tif 000018
【図１７】
2016082514.tif 000019
【図１８】
2016082514.tif 000020
【図１９】
2016082514.tif 000021
【図２０】
2016082514.tif 000022
【図２１】
2016082514.tif 000023
【図２２】
2016082514.tif 000024
【図２３】
2016082514.tif 000025
【図２４】
2016082514.tif 000026
【図２５】
2016082514.tif 000027
【図２６】
2016082514.tif 000028
【図２７】
2016082514.tif 000029
【図２８】
2016082514.tif 000030
【図２９】
2016082514.tif 000031
【図３０】
2016082514.tif 000032
【図３１】
2016082514.tif 000033
【図３２】
2016082514.tif 000034
【図３３】
2016082514.tif 000035
【図３４】
2016082514.tif 000036
【図３５】
2016082514.tif 000037
【図３６】
2016082514.tif 000038
【図３７】
2016082514.tif 000039
【図３８】
2016082514.tif 000040
【図３９】
2016082514.tif 000041
【図４０】
2016082514.tif 000042
【図４１】
2016082514.tif 000043
【図４２】
2016082514.tif 000044
【図４３】
2016082514.tif 000045
【図４４】
2016082514.tif 000046
【図４５】
2016082514.tif 000047
【図４６】
2016082514.tif 000048
【図４７】
2016082514.tif 000049
【図４８】
2016082514.tif 000050
【図４９】
2016082514.tif 000051
【図５０】
2016082514.tif 000052